(57)【要約】【課題】  簡単な構造でありながら、上面側が凹となって水たまりができるようなことはなく、経年変化による割れを防止することができる木質系床材を提供することにある。【解決手段】  ムク材からなる帯状の床材本体（１）があって、この床材本体（１）の木表を上面側に向けて、同床材本体（１）の木表を上に凸となるアール形状に形成したことを特徴としている。また、上記床材本体（１）の木裏も上に凸となるアール形状に形成したものであってもかまわないものである。さらに、上記床材本体（１）の木裏で中央部に帯状の切欠溝（２）を形成したものであってもかまわないものである。【選択図】  図１
2005028824.tif 000002
【特許請求の範囲】
【請求項１】
ムク材からなる帯状の床材本体があって、この床材本体の木表を上面側に向けて、同床材本体の木表を上に凸となるアール形状に形成したことを特徴とする木質系床材。
【請求項２】
上記床材本体の木裏も上に凸となるアール形状に形成したことを特徴とする請求項１記載の木質系床材。
【請求項３】
上記床材本体の木裏で中央部に帯状の切欠溝を形成したことを特徴とする請求項１または請求項２記載の木質系床材。
【発明の詳細な説明】
【技術分野】
【０００１】
本発明は、木質系床材に関するものであり、さらに詳しくは、屋外のデッキなどの床材、あるいは、屋外用のイスなどとして使用されるのに有用な木質系床材に関するものである。
【背景技術】
【０００２】
従来の木質系床材としては、例えば、図４の［１］に示すごとく、ムク材からなる断面長方形状で帯状の床材本体（１）があって、この帯状の床材本体（１）で、板面において樹心に遠い方の面である木表を上面側に向けて、デッキなどの床材として屋外に敷設されていたものであった。
【０００３】
このような木質系床材においては、屋外に敷設後、時間が経過して乾燥してくると、カップリングが起こって、図４の［２］に示すごとく、上面側が凹となり、雨などが降ると、雨滴（３）が上面側の凹部分に溜まって水たまり（４）ができてしまうものであった。
【０００４】
これに対応して、雨滴（３）が上面側の凹部分に溜まって水たまり（４）ができるのを防止するために、図５の［１］に示すごとく、帯状の床材本体（１）で、板面において樹心に近い方の面である木裏を上面側に向けて、デッキなどの床材として屋外に敷設することを考えられていたものである。この場合、屋外に敷設後、時間が経過して乾燥してカップリングが起こったとしても、図５の［２］に示すごとく、上面側が凸となり、雨などが降ったときに、雨滴による水たまりはできないものの、板面において樹心に近い方の面である木裏を上面側に向けているために、同図に示すごとき経年変化により、木口割れや表面割れなどといった割れ（５）が発生してしまう問題があった。
【０００５】
そこで、下記の特許文献１に示された特開２００１−１７３２１４号公報のようなものが考えられていた。具体的には、図６に示すごとく、木質系の床材本体（１）の裏面側に複数個の溝部（７）を設けて、この溝部（７）を被装するように弾性を有するクッション材（６）を貼着してなるものであった。
【０００６】
上記特許文献１と同様に、下記の特許文献２に示された特開平１０−３７４４０号公報のようなものも考えられていた。具体的には、図７に示すごとく、木質系の床材本体（１）の裏面側に複数個の溝部（７）を設けて、この溝部（７）を被装するように弾性を有するクッション材（６）を貼着するとともに、クッション材（６）の裏面に凹凸形状（１０）を形成して防音性を向上させる工夫がなされている上に、同クッション材（６）の裏面側にポリエチレンシート（８）と不織布（９）が積層一体化されていたものであった。
【特許文献１】特開２００１−１７３２１４号公報
【特許文献２】特開平１０−３７４４０号公報
【発明の開示】
【発明が解決しようとする課題】
【０００７】
上述した特許文献１および特許文献２により、上面側が凹となって水たまりができるようなことはなく、経年変化による割れを防止することができるものの、、いずれの場合も木質系の床材本体（１）の裏面側にクッション材（６）などが積層されたものであり、積層を行うことなく簡単な構造でありながら、上面側が凹となって水たまりができるようなことを防止でき、しかも、経年変化による割れを防止することができるようなものが望まれていたものであった。
【０００８】
本発明は、上述の事実に鑑みてなされたものであって、その目的とするところは、簡単な構造でありながら、上面側が凹となって水たまりができるようなことはなく、経年変化による割れを防止することができる木質系床材を提供することにある。
【課題を解決するための手段】
【０００９】
上記課題を解決するために、本発明においてはつぎのような技術的手段を講じている。すなわち、本発明の請求項１に係る木質系床材は、ムク材からなる帯状の床材本体（１）があって、この床材本体（１）の木表を上面側に向けて、同床材本体（１）の木表を上に凸となるアール形状に形成したことを特徴としている。
【００１０】
また、本発明の請求項２に係る木質系床材は、上記床材本体（１）の木裏も上に凸となるアール形状に形成したことを特徴としている。
【００１１】
さらに、本発明の請求項３に係る木質系床材は、上記床材本体（１）の木裏で中央部に帯状の切欠溝（２）を形成したことを特徴としている。
【発明の効果】
【００１２】
本発明の木質系床材によると、ムク材からなる帯状の床材本体（１）のみの簡単な構造で形成されており、床材本体（１）の木表を上面側に向けた際に、上に凸となるアール形状に形成しているために、屋外に敷設後、時間が経過して乾燥してカップリングが起こったとしても、上面側が凸となることはなく平らな面となり、結果として、雨などが降ったときに、雨滴による水たまりはできないものとなり、床材本体（１）に塗料が塗られていたとしても、経年変化による塗料の色落ちなども抑制されるものとなる。しかも、板面において樹心に近い方の面である木裏を下面側に向けているために、木口割れや表面割れなどといった割れを解消することができるものである。
【００１３】
したがって、本発明は、ムク材からなる帯状の床材本体（１）のみの簡単な構造でありながら、上面側が凹となって水たまりができるようなことはなく、経年変化による割れを防止することができるものである。
【発明を実施するための最良の形態】
【００１４】
以下、この発明を実施するための最良の形態について、図面を参照しながら詳細に説明する。
【００１５】
図１は、本発明の第１の実施形態に係る木質系床材を示した要部断面図である。また、図２は、本発明の第２の実施形態に係る木質系床材を示した要部断面図である。そして、図３は、本発明の第３の実施形態に係る木質系床材を示した要部断面図である。
【００１６】
本発明の木質系床材は、屋外のデッキなどの床材、あるいは、屋外用のイスなどとして使用されるのに有用なものであり、具体的には、図１ないし図３に示すごとく、ムク材からなる帯状の床材本体（１）があって、この床材本体（１）の木表を上面側に向けて、同床材本体（１）の木表を上に凸となるアール形状に形成しているものである。
【００１７】
上記床材本体（１）は、帯状のものであって、図１ないし図３に示すごとく、断面略長方形状のものである。この床材本体（１）は、ムク材からなっているものである。このようなムク材として、屋外のデッキなどの床材、あるいは、屋外用のイスなどとして使用されるのに有用な樹種としては、例えば、あらゆる樹種のうちで最も用途が広い国産杉が採用されるものである。なお、この国産杉は、その他にも構造材、造作材、装飾材など広く建築材として使用されるものである。
【００１８】
そして、上記床材本体（１）は、図１ないし図３に示す断面の木目形状を見てわかるように、板面において樹心に遠い方の面である木表を上面側に向けているものである。すなわち、逆に見ると、この床材本体（１）は、板面において樹心に近い方の面である木裏を下面側に向けているものである。
【００１９】
本発明では、図１ないし図３に示すごとく、上記床材本体（１）の木表を上に凸となるアール形状に形成しているものである。この上に凸となるアール形状は、床材本体（１）の大きさなどにより、様々に形成されるものであり、特に制限されるものではない。一例を挙げると、上記床材本体（１）の木表を上に凸となるアール形状に形成する際の寸法としては、幅１３５ｍｍ、厚さ３５ｍｍの床材本体（１）である場合、同床材本体（１）の木表を３ｍｍ程度の上に凸となるアール形状に形成すれば良いものである。
【００２０】
本発明は、このような構成をとることによって、ムク材からなる帯状の床材本体（１）のみの簡単な構造で形成されており、図３の［１］に示すごとく、床材本体（１）の木表を上面側に向けた際に、上に凸となるアール形状に形成しているために、屋外に敷設後、時間が経過して乾燥してカップリングが起こったとしても、同図３の［２］に示すごとく、上面側が凸となることはなく平らな面となり、結果として、雨などが降ったときに、雨滴による水たまりはできないものとなり、床材本体（１）に塗料が塗られていたとしても、経年変化による塗料の色落ちなども抑制されるものとなる。しかも、板面において樹心に近い方の面である木裏を下面側に向けているために、木口割れや表面割れなどといった割れを解消することができるものである。
【００２１】
したがって、本発明は、ムク材からなる帯状の床材本体（１）のみの簡単な構造でありながら、上面側が凹となって水たまりができるようなことはなく、経年変化による割れを防止することができるものである。
【００２２】
ところで、屋外に敷設施工する前で倉庫などで保管、貯蔵されているような場合に、時間が経過して乾燥してカップリングが起こったとすると、図３の［２］に示すごとき床材本体（１）の下面側が上に凹となるアール形状になり、このようにカップリングが起こった状態で施工しようとすると、床材本体（１）の下面側が上に凹となるアール形状により、同床材本体（１）が安定して敷設施工することができず、結果として、施工が行い難い状態となるものである。
【００２３】
そこで、図２の［１］、［２］に示すごとく、上記床材本体（１）の木裏も上に凸となるアール形状に形成しているものであると、図２の［１］に示すごとく、床材本体（１）の木表を上面側に向けた際に、上に凸となるアール形状に形成しているために、屋外に敷設後、時間が経過して乾燥してカップリングが起こったとしても、同図２の［２］に示すごとく、上面側が凸となることはなく平らな面となり、結果として、雨などが降ったときに、雨滴による水たまりはできないものとなる上に、床材本体（１）の木裏が上に凸となるアール形状により、屋外に敷設施工する前で倉庫などで保管、貯蔵されているような場合に、時間が経過して乾燥してカップリングが起こったとすると、床材本体（１）の下面側も平らな面となり、同床材本体（１）が安定して敷設施工することができるものとなり、結果として、施工が非常に安定して行いやすい状態となるものである。
【００２４】
なお、上記床材本体（１）の木裏を上に凸となるアール形状に形成する際の寸法としては、例えば、上述した床材本体（１）の木表を上に凸となるアール形状に形成する際の寸法と同様に、幅１３５ｍｍ、厚さ３５ｍｍの床材本体（１）であると、同床材本体（１）の木裏を３ｍｍ程度の上に凸となるアール形状に形成すれば良いものである。
【００２５】
さらに、図１の［１］、［２］に示すごとく、上記床材本体（１）の木裏で中央部に帯状の切欠溝（２）を形成しているものであると、図１の［１］に示すごとく、床材本体（１）の木表を上面側に向けた際に、上に凸となるアール形状に形成しているために、屋外に敷設後、時間が経過して乾燥してカップリングが起こったとしても、同図１の［２］に示すごとく、上面側が凸となることはなく平らな面となり、結果として、雨などが降ったときに、雨滴による水たまりはできないものとなる上に、床材本体（１）の木裏で中央部にある帯状の切欠溝（２）により、屋外に敷設施工する前で倉庫などで保管、貯蔵されているような場合に、時間が経過して乾燥してカップリングが起こったとすると、床材本体（１）の下面側も平らな面となり、同床材本体（１）が安定して敷設施工することができるものとなり、結果として、施工が非常に安定して行いやすい状態となるものである。しかも、床材本体（１）の木裏で中央部に帯状の切欠溝（２）を形成することで、背割り効果によりカップリングの程度も軽減させることができるものである。
【００２６】
なお、上記床材本体（１）の木裏で中央部に帯状の切欠溝（２）を形成する際の寸法としては、例えば、幅１３５ｍｍ、厚さ３５ｍｍの床材本体（１）であると、同床材本体（１）の切欠溝（２）の寸法は、幅４０ｍｍ、窪み深さ２ｍｍ程度に形成すれば良いものである。
【図面の簡単な説明】
【００２７】
【図１】本発明の第１の実施形態に係る木質系床材を示した要部断面図である。
【図２】本発明の第２の実施形態に係る木質系床材を示した要部断面図である。
【図３】本発明の第３の実施形態に係る木質系床材を示した要部断面図である。
【図４】第１の従来例に係る木質系床材を示した要部断面図である。
【図５】第２の従来例に係る木質系床材を示した要部断面図である。
【図６】第３の従来例に係る木質系床材を示した要部断面図である。
【図７】第４の従来例に係る木質系床材を示した要部断面図である。
【符号の説明】
【００２８】
１    床材本体
２    切欠溝
【図１】
2005028824.tif 000003
【図２】
2005028824.tif 000004
【図３】
2005028824.tif 000005
【図４】
2005028824.tif 000006
【図５】
2005028824.tif 000007
【図６】
2005028824.tif 000008
【図７】
2005028824.tif 000009